(57)【特許請求の範囲】
【請求項１】
一次巻線、および、第１の出力値を生じる第１の出力巻線と第２の出力値を生じる第２の出力巻線とを含むエネルギー伝送要素と、
前記一次巻線に結合された一次スイッチと、
前記第１の出力値と前記第２の出力値との和を調整するように前記一次スイッチに結合された制御回路と、
前記第２の出力値に対する前記第１の出力値の比率を調整するステアリング回路とを備え、
前記ステアリング回路は、前記第２の出力値に対する前記第１の出力値の比率が、所望の比率と等しいか、より大きいか、またはより小さいかを決定するように構成されるとともに、前記第１の出力巻線および前記第２の出力巻線にそれぞれ結合された第１の出力スイッチおよび第２の出力スイッチを含み、前記第２の出力値に対する前記第１の出力値の比率を前記所望の比率に調整し、
前記第１の出力スイッチは、前記第１の出力巻線に流れる電流を阻止できるように結合され、前記第２の出力スイッチは、前記第２の出力巻線に流れる電流を阻止できるように結合されており、
前記一次スイッチが開放されると、前記第１の出力スイッチおよび前記第２の出力スイッチの少なくとも１つが閉じるようにされる、フライバック電源回路。
【請求項２】
前記一次スイッチがトランジスタから成る、請求項１に記載のフライバック電源回路。
【請求項３】
前記一次スイッチおよび前記制御回路が集積回路に含まれる、請求項１に記載のフライバック電源回路。
【請求項４】
前記第１の出力値および前記第２の出力値が、第１の出力電圧および第２の出力電圧をそれぞれ含む、請求項１に記載のフライバック電源回路。
【請求項５】
前記第１の出力スイッチおよび前記第２の出力スイッチが、第１の磁気増幅器および第２の磁気増幅器をそれぞれ含む、請求項１に記載のフライバック電源回路。
【請求項６】
前記ステアリング回路が、
前記第１の磁気増幅器と前記第２の磁気増幅器に相容れない電流を供給するために、前記第１の磁気増幅器および前記第２の磁気増幅器にそれぞれ結合された第１の電流源および第２の電流源と、
前記第１の電流源および前記第２の電流源に結合された演算増幅器とをさらに含む、請求項５に記載のフライバック電源回路。
【請求項７】
前記第２の出力値に対する前記第１の出力値の比率に応答する信号に、前記演算増幅器がＡＣ結合される、請求項６に記載のフライバック電源回路。
【請求項８】
フライバック電源の第１の出力および第２の出力を調整する方法であって、
前記第１の出力の第１の出力値と、前記第２の出力の第２の出力値との和を調整するステップと、
前記第２の出力値に対する前記第１の出力値の比率が、所望の比率と等しいか、より大きいか、またはより小さいかを決定するステップと、
前記第２の出力の前記第２の出力値に対する前記第１の出力の前記第１の出力値の比率を前記所望の比率に調整するステップと、
前記フライバック電源のエネルギー伝送要素に流れる電流を選択的に阻止して、前記第２の出力の前記第２の出力値に対する前記第１の出力の前記第１の出力値の比率を維持するステップとを含む、出力調整方法。
【請求項９】
前記第１の出力の前記第１の出力値と、前記第２の出力の前記第２の出力値との和を調整するステップが、前記第１の出力の前記第１の出力値と、前記第２の出力の前記第２の出力値との和に応じて前記フライバック電源の一次スイッチをスイッチ動作させるステップを含む、請求項８に記載の出力調整方法。
【請求項１０】
前記第１の出力の前記第１の出力値と、前記第２の出力の前記第２の出力値との和を調整するステップが、前記第１の出力の前記第１の出力値と、前記第２の出力の前記第２の出力値との和に応じて前記フライバック電源の一次巻線に結合されたトランジスタをスイッチ動作させるステップを含む、請求項８に記載の出力調整方法。
【請求項１１】
前記第１の出力の前記第１の出力値と、前記第２の出力の前記第２の出力値との和を調整するステップが、前記第１の出力における第１の出力電圧と、前記第２の出力における第２の出力電圧との和を調整するステップを含む、請求項８に記載の出力調整方法。
【請求項１２】
前記第２の出力の前記第２の出力値に対する前記第１の出力の前記第１の出力値の比率を調整するステップが、前記第２の出力の前記第２の出力値に対する前記第１の出力の前記第１の出力値の比率に応じて前記フライバック電源の第１の出力巻線および第２の出力巻線に結合された第１の出力スイッチおよび第２の出力スイッチをスイッチ動作させるステップを含む、請求項８に記載の出力調整方法。
【請求項１３】
前記第２の出力の前記第２の出力値に対する前記第１の出力の前記第１の出力値の比率を調整するステップが、前記第２の出力の前記第２の出力値に対する前記第１の出力の前記第１の出力値の比率に応じて前記フライバック電源の第１の出力巻線および第２の出力巻線に結合された第１の磁気増幅器および第２の磁気増幅器をスイッチ動作させるステップを含む、請求項８に記載の出力調整方法。
【請求項１４】
前記フライバック電源のエネルギー伝送要素に流れる電流を選択的に阻止するステップが、前記第２の出力の前記第２の出力値に対する前記第１の出力の前記第１の出力値の比率に応じて、第１の出力巻線および第２の出力巻線に流れる電流を制御するために前記フライバック電源の前記第１の出力巻線および前記第２の出力巻線に結合された第１の出力スイッチおよび第２の出力スイッチを選択的にスイッチ動作させるステップを含む、請求項８に記載の出力調整方法。
【請求項１５】
前記第１の出力巻線および前記第２の出力巻線に結合された前記第１の出力スイッチおよび前記第２の出力スイッチを選択的にスイッチ動作させて、前記フライバック電源の一次巻線に結合された一次スイッチが開放されると、前記第１の出力スイッチおよび前記第２の出力スイッチの少なくとも１つが、閉じられるように結合されるようにしている、請求項１４に記載の出力調整方法。
【発明の詳細な説明】
【技術分野】
【０００１】
本発明は一般に電源に関し、さらに具体的に言えば、本発明はフライバック・トポロジを利用する電源に関する。
【背景技術】
【０００２】
スイッチング電源は、多数の目的および用途に使用されることがある。このフライバック・トポロジは、多くの用途に対してコストが最低であるソリューションであることが多いために、複数の出力を持つスイッチング電源にとって代表的な選択である。
【０００３】
多くの用途では、電源は、同一出力部からの負荷電流や、他の出力部からの負荷電流が広範囲に変化するときでも、不変である出力電圧を供給することがしばしば望ましい。このような不変の出力電圧が望ましい用途の一例として、オーディオ・アンプ（audio amplifier）向けの電源がある。オーディオアンプは、一般に、例えば＋４０ボルトや−４０ボルトのように、共通基準点（common reference）に対して同じ極性と逆の極性の２つの電圧源を必要としている。
【発明の開示】
【発明が解決しようとする課題】
【０００４】
従来の制御方法を利用して、２つの不変電圧の出力を単一のフライバック電源からオーディオ・アンプに供給することは、にとって困難である。従来の方法は、直接に１つの出力を調整し、そして、変圧器の出力巻線間の充分な結合を利用して、これらの負荷の変化に対して、別の出力電圧を不変にする。従来の方法は、多くの用途において充分であるとはいえ、オーディオ信号に関連して特別に負荷がかかるために、オーディオ・アンプでは不充分である。
【０００５】
オーディオ信号の性質により、これら２つの出力電圧には、不均等な電流の負荷がかけられる。一方の出力部が大電流を供給する一方で、他の出力部は小電流を供給するのが一般的である。変圧器の巻線間の結合が不完全であることから、小電流の出力部の電圧は、許容できないくらい上昇する。
【課題を解決するための手段】
【０００６】
フライバック電源回路には、一次巻線に結合の一次スイッチを介して、第１の出力巻線からの第１出力値と第２の出力巻線からの第２出力値との和を調整する制御回路と、第１の出力巻線に結合の第１の出力スイッチと第２の出力巻線に結合の第２の出力スイッチを含み、前記第２出力値に対する前記第１出力値の比率を調整するステアリング回路とが備えられる。
【発明を実施するための最良の形態】
【０００７】
特に指定しない限り、様々な図を通して対応する部分には同じ参照番号を付した以下の図面を参照して、本発明の限定的でなく、また、網羅的でもない実施形態および例が説明される。
【０００８】
複数の調整出力を持つフライバック電源を実現する方法および装置が開示される。以下の説明では、本発明を完全に理解するために、多数の特定の細部が述べられている。しかしながら、本発明を実施するために、その特定の細部を使う必要がないことが、通常の当業者には明らかになろう。他の場合には、本発明をわかりにくくするのを避けるために、よく知られている材料または方法は、詳細には述べられていない。
【０００９】
本明細書において、「一実施形態(one embodiment)」、「実施形態(an embodiment)」、「一例(one example)」、または、「例(an example)」を参照することは、その実施形態ないし例に関連して述べられる特定の特徴、構造、または特性が、本発明の少なくとも１つの実施形態に含まれることを意味している。したがって、本明細書の全体にわたって、様々な場所において「一実施例では(in one embodiment)」、「実施例では(in an embodiment)」、「一例(one example)」、または、「例(an example)」というフレーズが現われた場合に、必ずしもすべて、同一の実施形態ないし同一の例をさすとは限らない。さらに、１つまたは複数の実施形態または例において、特定の特徴、構造、または特性が、任意の適切な組み合わせで、および／または部分的な組合せで組み合わされることがある。さらに、本明細書とともに提供される図は、通常の当業者への説明目的のものであること、それらの図面は、必ずしも、同じ縮尺で描かれているとは限らないことを、承知おきください。
【００１０】
以下に説明されるように、本発明の教示による様々な例から、通常の不完全な（理想的ではない）変圧器を有する単一のフライバック電源は、オーディオ・アンプ、もしくはそれに類する広範囲に変化する負荷を受けても不変である２つの出力電圧を供給することができる。例えば、本発明のいくつかの例は、２つの制御機能を使用している。すなわち、第１の制御機能は、双方の出力部に供給されるエネルギー量を決定し、そして、第２の制御機能は、そのエネルギーをこれらの出力部間で分ける。一例では、第１の制御機能は、これらの出力電圧の和を調整し、そして、第２の制御機能は、これら２つの出力電圧の所望の比率を維持する。一例では、第２の制御機能は、本発明の教示により、ステアリング回路を利用して、変圧器からのエネルギーを分けることで、オーディオ・アンプから不均等に負荷がかけられても、これら２つの出力電圧が不変となるようにしている。
【００１１】
図１は、本発明の上記主要要素の一部を示す模範的な１つのフライバック電源を全体として示した機能ブロック図である。フライバック電源１００は、エネルギー伝送要素（energy transfer element）Ｔ１（１１２）および一次スイッチＳＰ（１２０）に結合されている無調整電圧ＶIN（１０５）を受ける。図１の例では、エネルギー伝送要素Ｔ１（１１２）は、フライバック電源１００の入力部と、フライバック電源１００の出力部との間に結合される。
【００１２】
図１の例では、エネルギー伝送要素Ｔ１（１１２）は、一次巻線１１４、第１の出力巻線１１６、および第２の出力巻線１１８という３つの巻線を持つ変圧器として図示されている。出力巻線１１６と出力巻線１１８は、共通線（コモン・リターン）１４５を持っている。一般に、この変圧器は、追加の巻線とともに、４つ以上の巻線を備えて、追加負荷に電力を供給するか、バイアス電圧を供給するか、あるいは、本発明の教示により、負荷の電圧を検出することもある。
【００１３】
図示される例では、クランプ回路１１０が、エネルギー伝送要素Ｔ１（１１２）の一次巻線１１４に結合されて、一次スイッチＳＰ（１２０）上の最大電圧を制御する。一次スイッチＳＰ（１２０）は、本発明の教示により、制御回路（コントローラ）１９５に応答して、オン（閉成）とオフ（開放）に切り替えられる。一例では、一次スイッチＳＰ（１２０）は、例えば、パワー金属酸化物半導体電界効果トランジスタ（パワーＭＯＳＦＥＴ）のようなトランジスタである。一例では、制御回路１９５は、集積回路と個別電気部品を含む。
【００１４】
一次スイッチＳＰ（１２０）が動作すると、対応する出力巻線１１６と出力巻線１１８中に脈動電流が生じ、それらの脈動電流は、二次スイッチＳ１（１２５）および二次スイッチＳ２（１３０）の位置で、整流器Ｄ１（１３５）および整流器Ｄ２（１４０）によってそれぞれ整流され得るようにされ、次に、コンデンサＣ１（１５５）およびコンデンサＣ２（１６０）によってそれぞれフィルタリングされて、コンデンサＣ１（１５５）に出力電圧ＶO1、コンデンサＣ２（１６０）に出力電圧ＶO2をそれぞれ発生させる。図示された例に示されるように、コンデンサＣ１（１５５）およびコンデンサＣ２（１６０）は、共通出力線１４５に結合されて、出力電圧ＶO1が共通出力線１４５に対して正となり、また出力電圧ＶO2が共通出力線１４５に対して負となるようにする。負荷インピーダンスＬＯＡＤ１（１６５）および負荷インピーダンスＬＯＡＤ２（１７０）は、出力コンデンサＣ１（１５５）の両端および出力コンデンサＣ２（１６０）の両端にそれぞれ結合されて、出力電流ＩO1と出力電流ＩO2をそれぞれ通す。一例では、負荷インピーダンスＬＯＡＤ１（１６５）および負荷インピーダンスＬＯＡＤ２（１７０）は、電源１００から電力を受け取るオーディオ・アンプであり得る。
【００１５】
図示される例では、制御回路１９５は、フィードバック回路１８５からフィードバック信号ＵFB１９０を受ける。フィードバック回路１８５は、２つの出力電圧（ＶO1とＶO2）の和である合成出力電圧ＶO（１７５）の値を検出する出力検出回路１８０に応答して、フィードバック信号ＵFB１９０を作り出す。３つ以上の出力電圧を持つ例では、検出回路は、３つ以上の出力電圧から成る合成出力電圧を検出することがある。一例では、制御回路１９５は、一次スイッチＳＰ（１２０）を動作させて、合成出力電圧ＶO（１７５）の値を、ＶO1とＶO2の所望の値の和である値にほぼ調整する。一例では、一次スイッチＳＰ（１２０）は、ほぼ一定の周波数で動作して、パルス幅変調（ＰＷＭ）として知られている方法でスイッチング期間中に一次スイッチＳＰ（１２０）の閉成時間を変えて、合成出力電圧ＶO（１７５）を調整する。別の例では、制御回路１９５は、一次スイッチＳＰ（１２０）を、指定した導通時間の間に切り替えさせるか、あるいは、オン／オフ制御として知られている方法で、スイッチング期間中、開放状態にとどめさせて、合成出力電圧ＶO（１７５）を調整する。
【００１６】
ステアリング回路１５０は、コンデンサＣ１（１５５）の両端とコンデンサＣ２（１６０）の両端に、それぞれ出力電圧ＶO1と出力電圧ＶO2を検出する。二次スイッチＳ１（１２５）および二次スイッチＳ２（１３０）は、ステアリング回路１５０に応答してスイッチ動作して、出力電圧ＶO1および出力電圧ＶO2の所望の比率を維持するよう、出力巻線１１６および出力巻線１１８からのエネルギーの向かう方向づけをする。したがって、これら２つの出力電圧（ＶO1とＶO2）の値は、これら２つの出力の和を調整する制御回路１９５と、これらの出力電圧（ＶO1とＶO2）の比率を調整するステアリング回路１５０との総合作用によって調整される。
【００１７】
一次スイッチＳＰ（１２０）の開放時には、二次スイッチＳ１（１２５）および二次スイッチＳ２（１３０）の少なくとも一方が閉じられる。一次スイッチＳＰ（１２０）の開放時おいて二次スイッチＳ１（１２５）および二次スイッチＳ２（１３０）の少なくとも一方が閉じている限りは、これらの二次スイッチは、出力電圧ＶO1と出力電圧ＶO2の所望の比率を維持する任意の順序またはパターンで開放され、または閉成される。一次スイッチＳＰ（１２０）が開放されると、開放している二次スイッチＳ１（１２５）により、エネルギー伝送要素１１２からのエネルギーが、閉成している二次スイッチＳ２（１３０）を通じて出力巻線１１８中に電流を生じさせる。一次スイッチＳＰ（１２０）が開放されるときに二次スイッチＳ２（１３０）が開放されている場合には、エネルギー伝送要素１１２からのエネルギーは、閉じた二次スイッチＳ１（１２５）を通じて出力巻線１１６中に電流を生じさせる。
【００１８】
したがって、ステアリング回路１５０は、エネルギーを、エネルギー伝送要素１１２から、上記２つの出力部のどちらか一方に導くことができる。一次スイッチＳＰ（１２０）が開放されるときに二次スイッチＳ１（１２５）および二次スイッチＳ２（１３０）の双方が閉じられている場合には、エネルギー伝送要素１１２からのエネルギーは、２つの出力巻線（１１６と１１８）の結合特性と、これらの出力回路のインピーダンスとにより、これらの出力巻線間で分けられる。
【００１９】
図２は、図１に示されるフライバック電源１００の一例を、さらに詳しく示している。特に、図２に示される模範的なフライバック電源２００は、集積回路２７０に含まれる一次スイッチＳＰ（１２０）と制御回路１９５を持っている。一例では、集積回路２７０は、カリフォルニア州サンノゼにあるＰｏｗｅｒ Ｉｎｔｅｇｒａｔｉｏｎｓ，Ｉｎｃ．で製造されたＰＫＳ６０７Ｙである。集積回路２７０では、一次スイッチＳＰ１２０はＭＯＳＦＥＴである。図２の例では、集積回路２７０に含まれる制御回路１９５は、一次スイッチ１２０のドレーン電流ＩD（２９０）を検出する電流検出信号２８０を受け取る。制御回路１９５は、電流検出信号２８０を利用して、電圧ＶO（１７５）を調整し、また、一次スイッチ１２０への損傷を防止する。図２の一例では、入力電圧ＶIN（１０５）はほぼ１７０ボルトであり、また、合成出力電圧ＶO（１７５）は、ほぼ８０ボルトである。
【００２０】
図示の例に示されるように、集積回路２７０に含まれる制御回路１９５は、オプトカプラー２１０、フィードバック抵抗器２４０、フィードバック・コンデンサ２５０を含むフィードバック回路１８５から、フィードバック信号ＵFB（１９０）を受ける。オプトカプラー２１０は、フォトトランジスタ２２０と発光ダイオードＬＥＤ（２３０）とを含む。一例では、オプトカプラー２１０はＰＣ８１７Ｄである。
【００２１】
一例では、出力検出回路１８０は、ツェナー・ダイオード２６０、オプトカプラー２１０のＬＥＤ（２３０）、フィードバック抵抗器２４０、フィードバック・コンデンサ２５０を含む。出力電圧ＶO（１７５）が、ツェナー・ダイオード２６０のブレークダウン電圧とＬＥＤ（２３０）の順方向電圧との和を超えるときに、フォトトランジスタ２２０は、出力電圧ＶO（１７５）を調整するフィードバック信号１９０を生じさせる。出力電圧ＶO（１７５）がほぼ８０ボルトである一例では、ツェナー・ダイオード２６０は、３９ボルトの公称ブレークダウン電圧を持つ２つの１Ｎ５２５９ツェナー・ダイオードを用いて実現されることがある。フィードバック抵抗器２４０とフィードバック・コンデンサ２５０は、この調整電源の所望の動的応答を得るように選択される。一例では、フィードバック抵抗器２４０は１３０オームであり、またフィードバック・コンデンサ２５０は１００ｎＦである。
【００２２】
図示された例では、クランプ回路１１０は、過渡電圧抑制ダイオード２０５、超高速整流器２３５、制動抵抗器２２５、制動コンデンサ２１５を含む。一例では、クランプ回路１１０のこれらの構成要素は、変圧器Ｔ１（１１２）の性質に合うように選択される。一例では、過渡電圧抑制ダイオード２０５はＰ６ＫＥ９１であり、また超高速整流器２３５はＵＦ４００５であり、また制動抵抗器２２５は１５０オームであり、さらに制動コンデンサ２１５は４７０ｐＦである。
【００２３】
図３は、ステアリング回路１５０を含む図２の電源の模範的な部分３００をさらに詳しく示している。図３の例では、可飽和リアクトル３０５と可飽和リアクトル３１０は磁気増幅器として動作して、それぞれ二次スイッチ１２５と二次スイッチ１３０の機能を果たす。一例では、可飽和リアクトル３０５と可飽和リアクトル３１０は、サウスカロライナ州コンウェイにあるＭｅｔｇｌａｓ，Ｉｎｃ．から入手できるＭＰ１３０５のトロイダル・コイル（toroid）の７巻回で作られる。
【００２４】
図３の模範的なステアリング回路１５０では、一次スイッチＳＰ（１２０）が閉じられると、可飽和リアクトル３０５か、可飽和リアクトル３１０のいずれかが、それぞれダイオード３２０またはダイオード３７５に電流を流し得る。動作において、一次スイッチＳＰ（１２０）が閉じられると、ダイオード３２０またはダイオード３７５に電流が流れることにより、可飽和リアクトル３０５か、可飽和リアクトル３１０のいずれかに、不飽和磁束密度が確立される。したがって、一次スイッチＳＰ（１２０）が開放されると、二次スイッチ１２５か、二次スイッチ１３０のいずれかは、ダイオードＤ１（１３５）またはダイオードＤ２（１５０）に流れる電流を阻止し得る。一例では、ステアリング回路１５０は、電流をダイオード３２０とダイオード３７５に同時に流させないように、結合されている。したがって、一次スイッチＳＰ（１２０）が開放されると、二次スイッチ１２５と二次スイッチ１３０は、同時には開放され得ない。
【００２５】
図示された例では、ダイオード３２０に流れる電流は、限流抵抗器３２５、ショットキー・ダイオード３３０、ＰＮＰトランジスタ３３５、ベース・エミッタ間の抵抗器３５０、ブロッキング・ダイオード３４５、利得設定抵抗器３４０を含む電流源を通じて伝えられる。同様に、ダイオード３７５に流れる電流は、限流抵抗器３８５、ショットキー・ダイオード３８０、ＮＰＮトランジスタ３７０、ベース・エミッタ間の抵抗器３５５、ブロッキング・ダイオード３６５、利得設定抵抗器３６０を含む電流源を通じて伝えられる。したがって、ステアリング回路１５０は、本発明の教示により、２つの相容れない電流を導通する２つの電流源を含む。
【００２６】
一例では、限流抵抗器３２５と限流抵抗器３８５は２．７キロオームであり、ショットキー・ダイオード３３０とショットキー・ダイオード３８０はＳＢ１６０であり、ＰＮＰトランジスタ３３５は２Ｎ５４０１であり、ＮＰＮトランジスタ３７０はＭＰＳＡ４２であり、ベース・エミッタ間の抵抗器３５０と、ベース・エミッタ間の抵抗器３５５は５．１キロオームであり、ブロッキング・ダイオード３４５とブロッキング・ダイオード３６５は１Ｎ４１４８であり、利得設定抵抗器３４０と利得設定抵抗器３６０は５１０オームである。
【００２７】
図示の例では、演算増幅器３１５は、本発明の教示により、ダイオード３２０か、ダイオード３７５のいずれかに流れる電流を設定して、コンデンサＣ１（１５５）の出力電圧ＶO1と、コンデンサＣ２（１６０）の出力電圧ＶO2との所望の比率を維持する。一例では、演算増幅器３１５はＬＭ３９２であり、抵抗器３１４と抵抗器３１６が、２つの電圧（ＶO1とＶO2）の所望の比率を設定する。ＶO1とＶO2がそれぞれ４０ボルトである一例では、抵抗器３１４と抵抗器３１６は、ＶO1：ＶO2に対して１：１の比率を設定するために、それぞれ４９．９キロオームである。エネルギー伝送要素１１２の巻線１１８の巻数に対する巻線１１６の巻数の比率は、一般に、出力電圧ＶO2に対する出力電圧ＶO1の所望の比率である。抵抗器３０６、抵抗器３０２、抵抗器３０８は、コンデンサ３０４とコンデンサ３１２とともに、ステアリング回路１５０の所望の動的挙動を決定する。
【００２８】
この例に示されるように、コンデンサ３１２は、抵抗器３１４と抵抗器３１６との接続点３１８にて、その電圧のＡＣ結合を実現して、動的に負荷がかかっているという条件でのみ、ステアリング回路１５０がスイッチ１２５またはスイッチ１３０を開放させる。抵抗器３１４と抵抗器３１６との接続点３１８での電圧は、出力電圧ＶO1と出力電圧ＶO2との比率に関係する。図３の例では、接続点３１８での電圧は、ＶO1：ＶO2の比率が所望の比率であるときに、共通線１４５の基準電圧にほぼ等しい。図３の例では、本発明の教示により、ＶO1：ＶO2の比率が所望の比率よりも大きいときには、接続点３１８での電圧が基準電圧１４５よりも高く、また、ＶO1：ＶO2の比率が所望の比率よりも小さいときには、接続点３１８での電圧が基準電圧１４５よりも低い。
【００２９】
それゆえ、本発明の教示による模範的な応用例は、例えば磁気増幅器と組み合わせて使用できるステアリング回路（例えば、上述のもの）と、２つの別々の制御回路とを含むことがある。このような例では、一方の制御回路は、２つの出力電圧の和を調整し、また、他方の制御回路は、上記ステアリング回路を利用して、これら２つの出力電圧の比率を調整する。上記演算増幅器により駆動される相補形電流源の単一構成は、上記の可飽和リアクトルが、両巻線中の電流を同時に阻止しないようにする。電流が、両巻線中で同時に阻止されるとしたら、エネルギーが、出力部ではなくて、クランプ回路１１０に進路が変えられることになり、それにより、クランプ回路１１０において望ましくない電力消費がもたらされる。
【００３０】
公知の別法と比べて、本発明の教示による模範的な構成に見られる１つの恩恵は、これらの模範的な回路が単純で、効率的で、しかも安価なことである。上記の磁気増幅器としての可飽和リアクトルは、一次スイッチがオフになってから短時間の間に、この磁気増幅器の両端の電圧として現われる漏れインダクタンスからのほんのわずかなエネルギー量を阻止するように選択されることがある。
【００３１】
一例では、上の図３で説明される演算増幅器は、ＡＣ結合される。なぜなら、この電源電圧のＤＣ値がその指定範囲内にある限り、オーディオ・アンプが、たいてい、そのＤＣ値の影響を受けないからである。オーディオ・アンプは、特に可聴周波数において、その電源電圧の動的変動に不利に応答することが多い。それゆえ、オーディオ・アンプ向けのほとんどの電源では、出力電圧の変化は、平均ＤＣ値の調整よりも関心が大きい。
【００３２】
「要約書」を含め、本発明の図示された例の上記説明は、すべてを説明し尽くすものではないし、また、開示されている通りの形式に限定するものでもない。本発明の特定の実施形態、および本発明用の例は、本明細書中に例示目的で述べられているが、本発明のさらに広い精神および範囲から逸脱しなければ、様々な同等な修正も可能である。実際は、特定の電圧、電流、周波数、電力レンジ値、時間などが、説明目的で与えられていることと、本発明の教示により、他の実施形態および例では、他の値も使用できることが理解されよう。
【００３３】
上の詳細な説明に照らして、本発明の例に、これらの修正が行われることもある。併記の特許請求の範囲において使用される用語は、本発明を、本明細書および併記の特許請求の範囲の中で開示されている特定の実施形態に限定すると解されるべきでない。もっと適切に言えば、その範囲は、請求項解釈の確立した原則に基づいて解釈される併記の特許請求の範囲によって、完全に決定されるべきである。よって、本明細書と、これらの図は、制限するものと見なされず、例示するものと見なされるべきである。
【図面の簡単な説明】
【００３４】
【図１】本発明に従った、主要要素の一部を示すフライバック電源の一例を全体として示した機能ブロック図（回路図）である。
【図２】本発明に従った、上記主要要素の一部をさらに詳しく示すフライバック電源の一例を全体として示した別の機能ブロック図（回路図）である。
【図３】本発明の教示に従った、ステアリング回路の一例を含むフライバック電源の一部の一例を、さらに詳しく、全体として示した回路図である。
【符号の説明】
【００３５】
１００  フライバック電源回路
１１２  エネルギー伝送要素
１１４  一次巻線
１１６  第１の出力巻線
１１８  第２の出力巻線
１２０  一次スイッチ
１２５  第１の出力スイッチ
１３０  第２の出力スイッチ
１５０  ステアリング回路
１９５  制御回路
【図１】
0005412630.tif 000002
【図２】
0005412630.tif 000003
【図３】
0005412630.tif 000004